(57)【要約】【課題】  複数台の移動機と移動体通信網との間の通信品質の測定を容易に行うことができる通信品質解析システムを提供すること。【解決手段】  この通信品質解析システム１ａは、複数の移動機４０１〜４ｎに対してシーケンス情報を選択し出力するシーケンス選択出力部１０１と、当該シーケンス情報の出力に応じて移動機４０１〜４ｎから出力される移動体通信網７０との間の通信品質を示す通信品質情報を取得する情報取得部１０３と、複数の移動機４０１〜４ｎそれぞれから取得した通信品質情報に基づいて、通信品質を解析する品質解析部１０４と、を備える。【選択図】  図１
2005236680.tif 000002
【特許請求の範囲】
【請求項１】
移動機と移動体通信網との間の通信品質を測定し解析するための通信品質解析システムであって、
複数の移動機それぞれに対して前記移動体通信網との間で所定の通信動作を実行させる工程を特定するためのシーケンス情報を選択し、当該選択したシーケンス情報を前記複数の移動機それぞれに出力するシーケンス選択出力手段と、
当該シーケンス情報の出力に応じて前記複数の移動機それぞれが前記所定の通信動作を行った結果、該複数の移動機それぞれから出力される前記移動体通信網との間の通信品質を示す通信品質情報を取得する情報取得手段と、
当該複数の移動機それぞれから取得した通信品質情報に基づいて、前記通信品質を解析する品質解析手段と、
を備える通信品質解析システム。
【請求項２】
前記シーケンス選択出力手段は、前記複数の移動機それぞれに対して同時に前記シーケンス情報を出力する、請求項１に記載の通信品質解析システム。
【請求項３】
前記情報取得手段は前記通信品質情報として前記移動体通信網への発着信成否を含む情報を取得し、
前記品質解析手段が、前記複数の移動機それぞれにおける前記移動体通信網への発着信成否に基づいて、前記複数の移動機の中で前記移動体通信網への発着信が成功した台数の比率を発着信完了率として算出し、
当該発着信完了率が所定の値を下回った場合に、前記シーケンス選択出力手段は、前記複数の移動機に対して前記移動体通信網との間で行う所定の通信動作を抑制するようなシーケンス情報を選択して出力する、請求項１に記載の通信品質解析システム。
【請求項４】
前記情報取得手段は前記通信品質情報として前記移動体通信網への発信成否を含む情報を取得し、前記品質解析手段が、前記複数の移動機それぞれにおける前記移動体通信網への発信成否に基づいて、前記複数の移動機の中で前記移動体通信網への発信が成功した台数の比率を発信完了率として算出し、
前記通信品質情報は前記複数の移動機の発呼数を含み、前記品質解析手段が、単位時間あたりの前記発個数を単位発呼量として算出し、
前記品質解析手段が算出した発信完了率及び単位発呼量を関連付けて表示する結果表示手段を備える、請求項１に記載の通信品質解析システム。
【請求項５】
前記品質解析手段が解析した通信品質に基づいて、所定の時間間隔ごとに解析された通信品質を示す情報を保存すると共に、当該保存した通信品質を示す情報に基づいたグラフを作成する結果作成手段を備える、請求項１に記載の通信品質解析システム。
【請求項６】
前記結果作成手段が保存した通信品質を示す情報及びグラフをネットワークを介して所定の送信先装置に送信する結果送信手段を備える、請求項５に記載の通信品質解析システム。
【発明の詳細な説明】
【技術分野】
【０００１】
本発明は、移動機と移動体通信網との間の通信品質を測定し解析するための通信品質解析システムに関する。
【背景技術】
【０００２】
移動機と移動体通信網との間の通信品質を測定するために、移動機と移動体通信網との接続状態や移動機の受信レベルの測定、基地局から移動機に発呼する際の接続時間の測定といった様々な測定が行われる。このような通信品質の測定を効率的かつ正確に行うために、例えば、移動体通信網のノード装置に接続された負荷試験装置で測定することが提案されている（例えば、下記特許文献１参照）。
【特許文献１】特開２００３−２２４５３４号公報
【発明の開示】
【発明が解決しようとする課題】
【０００３】
ところで、移動体通信網側から通信品質の測定を行う場合には、測定対象となる移動機が１機だけとなっていた。それは、移動機と移動体通信網内の装置との間でＣ−ＰＬＡＮＥ、Ｕ−ＰＬＡＮＥといった信号を送受信して通信品質の測定を行う場合に、複数台の移動機を対象として通信品質を測定して解析することが困難であるからである。
【０００４】
そこで本発明では、複数台の移動機と移動体通信網との間の通信品質の測定を容易に行うことができる通信品質解析システムを提供することを課題とする。
【課題を解決するための手段】
【０００５】
上記課題を解決するために本発明者らは様々な側面から検討を行った。上述したように、移動体通信網側から通信品質の測定を行う手法では、複数台の移動機を対象とすることは困難である。そこで、数十人の測定者が各々２〜３台の移動機を操作し、それぞれに決められたタイミングで発呼等の動作を行うことで通信品質の測定を行うことを検討した。しかしながら、この手法では移動機の台数を増やして測定することには現実的に困難であることに加え、それぞれの移動機における通信状態を考慮して測定シーケンスを変更することが困難であった。本発明はこれらの知見に基づいてなされたものである。
【０００６】
本発明の通信品質解析システムは、移動機と移動体通信網との間の通信品質を測定し解析するための通信品質解析システムであって、複数の移動機それぞれに対して移動体通信網との間で所定の通信動作を実行させる工程を特定するためのシーケンス情報を選択し、当該選択したシーケンス情報を複数の移動機それぞれに出力するシーケンス選択出力手段と、当該シーケンス情報の出力に応じて複数の移動機それぞれが所定の通信動作を行った結果、該複数の移動機それぞれから出力される移動体通信網との間の通信品質を示す通信品質情報を取得する情報取得手段と、当該複数の移動機それぞれから取得した通信品質情報に基づいて、通信品質を解析する品質解析手段と、を備える。
【０００７】
本発明の通信品質解析システムによれば、複数の移動機それぞれにシーケンス情報を出力するので、それぞれの移動機に対して所定の通信動作を実行させることができる。また、その所定の通信動作を行った結果として出力される通信品質情報を取得し、その取得した通信品質情報に基づいて通信品質を解析するので、所定の通信動作に対応する通信品質を測定できる。
【０００８】
また本発明の通信品質解析システムでは、シーケンス選択出力手段が、複数の移動機それぞれに対して同時にシーケンス情報を出力することも好ましい。同時にシーケンス情報を出力するので、例えば複数の移動機を同調させて通信動作を行うことができる。
【０００９】
また本発明の通信品質解析システムでは、情報取得手段が通信品質情報として移動体通信網への発着信成否を含む情報を取得し、品質解析手段が、複数の移動機それぞれにおける移動体通信網への発着信成否に基づいて、複数の移動機の中で移動体通信網への発着信が成功した台数の比率を発着信完了率として算出し、当該発着信完了率が所定の値を下回った場合に、シーケンス選択出力手段は、複数の移動機に対して移動体通信網との間で行う所定の通信動作を抑制するようなシーケンス情報を選択して出力することも好ましい。発着信完了率が所定の値を下回った場合に移動機の通信動作を抑制するようなシーケンス情報が出力されるので、移動体通信網に過大な負荷をかけて試験を行うことが回避できる。
【００１０】
また本発明の通信品質解析システムでは、情報取得手段が通信品質情報として移動体通信網への発信成否を含む情報を取得し、品質解析手段が、複数の移動機それぞれにおける移動体通信網への発信成否に基づいて、複数の移動機の中で移動体通信網への発信が成功した台数の比率を発信完了率として算出し、通信品質情報は複数の移動機の発呼数を含み、品質解析手段が、単位時間あたりの発個数を単位発呼量として算出し、品質解析手段が算出した発信完了率及び単位発呼量を関連付けて表示する結果表示手段を備えることも好ましい。発信完了率と単位発呼量とをそれぞれ算出して結果表示手段に表示するので、通信品質を解析した結果を容易に確認することができる。
【００１１】
また本発明の通信品質解析システムでは、品質解析手段が解析した通信品質に基づいて、所定の時間間隔ごとに解析された通信品質を示す情報を保存すると共に、当該保存した通信品質を示す情報に基づいたグラフを作成する結果作成手段を備えることも好ましい。通信品質に基づいたグラフを作成することができるので、通信品質を解析した結果を視覚的に確認することができる。
【００１２】
また本発明の通信品質解析システムは、結果作成手段が保存した通信品質を示す情報及びグラフをネットワークを介して所定の送信先装置に送信する結果送信手段を備えることも好ましい。通信品質を示す情報及びグラフを所定の通信先装置に送信できるので、例えば、複数の通信品質解析システムから送信される情報を集約して分析することができる。
【発明の効果】
【００１３】
本発明の通信品質解析システムによれば、複数台の移動機と移動体通信網との間の通信品質の測定を容易に行うことができる。
【発明を実施するための最良の形態】
【００１４】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１５】
本発明の実施形態である通信品質解析システムについて図１を参照しながら説明する。
【００１６】
図１は、通信品質解析システム１ａの構成を示す図である。通信品質解析システム１ａは、制御・表示装置１０と、ｎ台の移動機４０１〜４ｎと、を備える。移動機４０１〜４ｎは、制御・表示装置１０の移動機インタフェイス（Ｉ／Ｆ）１０２に接続されていて、移動機インタフェイス１０２を介してシーケンス選択出力部１０１から出力されるシーケンス情報に基づいて移動体通信網７０との間で所定の通信動作を行い、その結果としての通信品質情報を移動機インタフェイス１０２を介して制御・表示装置１０に出力する。
【００１７】
引き続いて制御・表示装置１０について説明する。制御・表示装置１０は物理的には、移動機４０１〜４ｎとの入出力インタフェイス及び位置取得装置２０との入出力インタフェイスを備え、移動機４０１〜４ｎから出力される情報を解析して移動機の送信電力測定、受信測定、変調解析等の各種測定解析が可能な処理部を備える解析装置である。
【００１８】
制御・表示装置１０は機能的な構成要素として、シーケンス選択出力部１０１（シーケンス選択出力手段）と、移動機インタフェイス１０２（シーケンス選択出力手段）と、情報取得部１０３（情報取得手段）と、品質解析部１０４（品質解析手段）と、結果作成部１０５（結果作成手段）と、結果表示部１０６（結果表示手段）と、結果送信部１０７（結果送信手段）と、シーケンス情報格納部１５１と、測定結果格納部１５２と、を備える。引き続いて各構成要素について説明する。
【００１９】
シーケンス選択出力部１０１は、シーケンス情報格納部１５１に格納されているシーケンス情報を選択し、移動機インタフェイス１０２を介して複数の移動機４０１〜４ｎそれぞれに出力する部分である。このシーケンス情報は、移動機４０１〜４ｎに対して移動体通信網７０との間で所定の通信動作を実行させる工程を特定する情報である。シーケンス情報格納部１５１に格納されている情報の例を図２に示す。図２に示す例によれば、シーケンス情報格納部１５１には「シーケンス番号」と「シーケンス内容」とが関連付けられて格納されている。シーケンス選択出力部１０１は測定者が入力する「シーケンス番号」に対応する「シーケンス内容」を選択して移動機４０１〜４ｎに出力する。シーケンス選択出力部１０１は、品質解析部１０４から出力される指示情報に基づいてシーケンス情報格納部１５１に格納されているシーケンス情報を選択し、移動機インタフェイス１０２を介して複数の移動機４０１〜４ｎそれぞれに出力する部分でもある（詳細は後述する）。
【００２０】
図１に戻って、移動機インタフェイス１０２は、制御・表示装置１０と移動機４０１〜４ｎとの間で情報の授受を行うためのインタフェイスである。本実施形態の移動機インタフェイス１０２はＵＳＢを利用している。移動機インタフェイス１０２は、シーケンス選択出力部１０１から出力されるシーケンス情報を適宜複製して移動機４０１〜４ｎに対して同じタイミングで（同時に）出力する。
【００２１】
情報取得部１０３は、シーケンス選択出力部１０１からシーケンス情報が出力されたことに応じて複数の移動機４０１〜４ｎそれぞれがそのシーケンス情報で特定されている工程で所定の通信動作を行い、その通信動作の結果として複数の移動機４０１〜４ｎそれぞれから出力される移動体通信網７０との間の通信品質を示す通信品質情報を取得する部分である。情報取得部１０３は取得した通信品質情報を品質解析部１０４に出力する。
【００２２】
品質解析部１０４は、複数の移動機４０１〜４ｎそれぞれから取得した通信品質情報に基づいて、通信品質を解析する部分である。より具体的には、通信品質情報に移動機４０１〜４ｎから移動体通信網７０への発着信成否を示す情報が含まれており、品質解析部１０５は、複数の移動機４０１〜４ｎそれぞれにおける移動体通信網７０への発着信成否に基づいて、複数の移動機４０１〜４ｎの中で移動体通信網７０への発着信が成功した台数の比率を発着信完了率として算出する。品質解析部１０５は、この発着信完了率が所定の値を下回った場合に、シーケンス選択出力手段１０１に対して移動機４０１〜４ｎから移動体通信網７０への発着信を制限するように指示情報を出力する。この指示情報の出力を受けたシーケンス選択出力部１０１は、移動機４０１〜４ｎから移動体通信網７０への発着信を制限するシーケンス情報をシーケンス情報格納部１５１から選択して移動機４０１〜４ｎへ出力する。
【００２３】
また、情報取得部１０３から出力される通信品質情報に移動体通信網７０への発信成否を示す情報が含まれている場合に、品質解析部１０４は複数の移動機４０１〜４ｎそれぞれにおける発信成否に基づいて複数の移動機４０１〜４ｎの中で移動体通信網７０への発信が成功した台数の比率を発信完了率として算出する。また、情報取得部１０３から出力される通信品質情報に複数の移動機４０１〜４ｎの発呼数が含まれている場合に、品質解析部１０４は単位時間当たりの発呼数を単位発呼量として算出する。品質解析部１０４は通信品質の解析結果を結果作成部１０５に出力する。
【００２４】
結果作成部１０５は、品質解析部１０４が解析した通信品質に基づいて、測定結果を示す情報を作成して測定結果格納部１５２に格納する部分である。より具体的には、結果作成部１０５は、品質解析部１０４が解析した通信品質に基づいて、所定の時間間隔ごとに解析された通信品質を測定結果格納部１５２に保存する。また、結果作成部１０５は、この保存した通信品質に基づいたグラフを作成して同様に測定結果格納部１５２に格納する。
【００２５】
結果表示部１０６は、測定結果格納部１５２に格納されている通信品質を示す情報を表示する部分である。より具体的には、結果表示部１０６は品質解析部１０４が解析し、結果作成部１０５が作成した発信完了率や単位発呼量を関連付けたグラフなどを表示する。
【００２６】
結果送信部１０７は、測定結果格納部１５２に格納されている通信品質を示す情報（グラフ化されたものを含む）を所定の送信先（サーバなど）に、ネットワークを介して送信する部分である。
【００２７】
引き続いて図３を参照しながら、通信品質解析システム１ａの動作について説明する。シーケンス選択出力部１０１がシーケンス情報格納部１５１に格納されているシーケンス情報を選択する（ステップＳ０１）。シーケンス選択出力部１０１は選択したシーケンス情報を移動機４０１〜４ｎに出力する（ステップＳ０２）。
【００２８】
移動機４０１〜４ｎはシーケンス情報に基づいて所定の通信動作を行い、その通信動作の結果として移動体通信網７０との間の通信品質を示す通信品質情報を出力する。この出力された通信品質情報は情報取得部１０３が取得する（ステップＳ０３）。情報取得部１０３は取得した通信品質情報を品質解析部１０４に出力する。
【００２９】
品質解析部１０４は出力された通信品質情報に基づいて発信完了率を算出する（ステップＳ０４）。発着信完了率が所定値以上でない場合には、品質解析部１０４から新たなシーケンス情報の選択を指示する指示情報がシーケンス選択出力部１０１に出力される。シーケンス選択出力部１０１はこの指示情報に基づいて新たなシーケンス情報を選択する（ステップＳ０５）。その後、ステップＳ０２に動作に移行する。
【００３０】
ステップＳ０４において発着信完了率が所定値を下回っている場合には、品質解析部１０４は通信品質を解析する（ステップＳ０６）。品質解析部１０４はこの結果を結果作成部１０５に出力する。
【００３１】
結果作成部１０５は、品質解析部１０４が解析した通信品質に基づいて、測定結果を示す情報を作成して測定結果格納部１５２に格納する（ステップＳ０７）。結果表示部１０６は、測定結果格納部１５２に格納されている通信品質を示す情報を表示し、結果送信部１０７は、測定結果格納部１５２に格納されている通信品質を示す情報（グラフ化されたものを含む）を所定の送信先（サーバなど）に、ネットワークを介して送信する（ステップＳ０８）。
【図面の簡単な説明】
【００３２】
【図１】本発明の実施形態である通信品質解析システムの構成を示す図である。
【図２】図１のシーケンス情報格納部に格納されている情報の例を示す図である。
【図３】本発明の実施形態である通信品質解析システムの動作を説明する図である。
【符号の説明】
【００３３】
１ａ…通信品質解析システム、１０…制御・表示装置、４０１〜４ｎ…移動機、７０…移動体通信網、１０１…シーケンス選択出力部、１０２…移動機インタフェイス、１０３…情報取得部、１０４…品質解析部、１０５…結果作成部、１０６…結果表示部、１０７…結果送信部、１５１…シーケンス情報格納部、１５２…測定結果格納部。
【図１】
2005236680.tif 000003
【図２】
2005236680.tif 000004
【図３】
2005236680.tif 000005